(57)【要約】【課題】ミキシングチップの先端に仮止めした後に確実に取り外し不能に係止することができるノズルチップを提供する。【解決手段】ミキシングチップＭの先端側の同一内径d１を有する筒状部Maaの先端に内径d２が同一の突条部Mabが設けられている吐出口Maに挿入されて係止せしめられるノズルチップにおいて、ミキシングチップＭの吐出口Maへの挿入部１を、ミキシングチップＭの突条部Mabの内径d２と同一の外径Ｄ１を有する仮止め用円筒部２と、仮止め用円筒部２に連続してノズル先端側に向けてミキシングチップＭの筒状部Maaの内径d１より小さな径Ｄ２まで径が大きくなった後にミキシングチップＭの突条部Mabの内径d２以上の径まで外径Ｄ３が減少する段差部3aが設けられたテーパー部３と、テーパー部３の段差部3aに連続して同一径Ｄ３で且つ長さがミキシングチップＭの突条部Mabの長さより長い嵌合用円筒部４とから構成させる。【選択図】図１
2015033519.tif 000002
【特許請求の範囲】
【請求項１】
ペースト状の歯科用材料を混練して吐出させるためのミキシングチップ(Ｍ)の先端側の同一内径(d１)を有する筒状部(Maa)の先端に内径(d２)が同一の突条部(Mab)が設けられている吐出口(Ma)に挿入されて係止せしめられるノズルチップであって、
該ノズルチップの該ミキシングチップ(Ｍ)の吐出口(Ma)への挿入部(１)が、該ミキシングチップ(Ｍ)の突条部(Mab)の内径(d２)と同一の外径(Ｄ１)を有する仮止め用円筒部(２)と、該仮止め用円筒部(２)に連続してノズル先端側に向けて該ミキシングチップ(Ｍ)の筒状部(Maa)の内径(d１)より小さな径(Ｄ２)まで径が大きくなった後に該ミキシングチップ(Ｍ)の突条部(Mab)の内径(d２)以上の径まで外径(Ｄ３)が減少する段差部(3a)が設けられたテーパー部(３)と、該テーパー部(３)の段差部(3a)に連続して同一径(Ｄ３)で且つ長さが該ミキシングチップ(Ｍ)の突条部(Mab)の長さより長い嵌合用円筒部(４)とから構成されていることを特徴とするノズルチップ。
【請求項２】
テーパー部(３)の少なくとも嵌合用円筒部(４)側の外周(3b)に、該テーパー部(３)の軸方向に向けて等間隔に切り欠かれた切欠部(3c)が形成されている請求項１に記載のノズルチップ。
【発明の詳細な説明】
【技術分野】
【０００１】
本発明は、ミキシングチップの先端に仮止めした後に確実に取り外し不能に係止することができるノズルチップに関するものである。
【背景技術】
【０００２】
ペースト状の歯科用材料を混合練和する際にミキシングチップが多用されており、このようなミキシングチップは、歯科用材料が充てんされた容器に着脱自在に装着され、例えば容器の先端の口金部に係止爪を介して装着される（例えば、特許文献１参照。）。
【０００３】
このようなミキシングチップに対しては、更に歯科用材料を直接口腔内に吐出させる場合などその用途に応じてノズルチップを装着して使用することがある。
【０００４】
ノズルチップは、ミキシングチップより更に細くて小形であることから、吐出させる際にノズルチップ内には大きな圧力がかかるので外れ易く、術中に患者の口腔内に落とすなどの問題が生じないように、ノズルチップはミキシングチップに対して取り外し不能に係止されることが重要となる。
【０００５】
このようなノズルチップが係止されるミキシングチップとしては、ミキシングチップの先端の同一内径を有する筒状部の先端に内径が同一の突条部が設けられている吐出口を有するものを使用すれば、図５の従来からあるノズルチップをミキシングチップに挿入する様子を示す断面説明図のように、ミキシングチップの吐出口の突条部とノズルチップのテーパー部との間の接触部分が少なくなり挿入負荷を軽減できると共に（図５(II)）、完全に挿入するとテーパー部に続く段差部とミキシングチップの突条部の奥側の端部とを取り外し不能に係止させることができるのである（図５(III)）。
【０００６】
このノズルチップをミキシングチップにしっかりと係止させるには、非常に大きな力で挿入し係止させなければならない。そのため、ノズルチップをつかみ直さなければならなかったり、力を入れすぎてノズルチップをつかんでいる手が滑ったりすることがある。
【０００７】
その際に、つかみ直すためにノズルチップから手を離したり、手を滑らしたりすると、ミキシングチップの突条部とノズルチップのテーパー部とが図５(II)の状態であることから、ノズルチップはミキシングチップの吐出口から押し戻され、ノズルチップを取り落とすことがしばしばあり、衛生上再利用できないため、ノズルチップを無駄にしたり、術前の準備に無駄な手間がかかるなどの問題が生じるのである。
【先行技術文献】
【特許文献】
【０００８】
【特許文献１】特開平８−２０７９４２号公報
【発明の概要】
【発明が解決しようとする課題】
【０００９】
本発明は前記の問題に鑑み、ノズルチップをミキシングチップの吐出口に挿入する際の負荷を軽減しながら、ノズルチップの挿入途中で手を離したり手を滑らしたりしても、ミキシングチップから外れ難いノズルチップを提供することを課題とする。
【課題を解決するための手段】
【００１０】
本発明者らは前記課題を解決すべく鋭意検討した結果、ペースト状の歯科用材料を混練して吐出させるためのミキシングチップの先端側の同一内径を有する筒状部の先端に内径が同一の突条部が設けられている吐出口に挿入されて係止せしめられるノズルチップにおいて、ノズルチップのミキシングチップの吐出口への挿入部を、ミキシングチップの突条部の内径と同一の外径を有する仮止め用円筒部と、この仮止め用円筒部に連続してノズル先端側に向けてミキシングチップの筒状部の内径より小さな径まで径が大きくなった後にミキシングチップの突条部の内径以上の径まで外径が減少する段差部が設けられたテーパー部と、このテーパー部の段差部に連続して同一径で且つ長さがミキシングチップの突条部の長さより長い嵌合用円筒部とから構成すれば、ノズルチップをミキシングチップの吐出口へ挿入する際に、先ずノズルチップの仮止め用円筒部がミキシングチップの突条部内に挿入されて仮止めされた状態となり、手を離してつかみ直すなどの動作が容易にでき、更にノズルチップを深く挿入するとノズルチップのテーパー部がミキシングチップの突条部内に挿入されるが、ノズルチップのテーパー部とミキシングチップの突条部とは接触部分が少なく挿入負荷が少ないため、容易に挿入することができ、またその際に手が滑ってもテーパー部だけが突条部から押し戻され、ミキシングチップの突条部内に、ノズルチップの仮止め用円筒部が留まることによってノズルチップの脱落を起こり難くすることができ、更にテーパー部に続いて嵌合用円筒部をミキシングチップの突条部内に挿入すれば、最終的にノズルチップのテーパー部の段差部がミキシングチップの突条部の奥側の端部と係止され、ノズルチップがミキシングチップの吐出口にしっかりと取り外し不能に係止されることを究明して本発明を完成したのである。
【００１１】
即ち本発明は、ペースト状の歯科用材料を混練して吐出させるためのミキシングチップの先端側の同一内径を有する筒状部の先端に内径が同一の突条部が設けられている吐出口に挿入されて係止せしめられるノズルチップであって、
ノズルチップのミキシングチップの吐出口への挿入部が、ミキシングチップの突条部の内径と同一の外径を有する仮止め用円筒部と、この仮止め用円筒部に連続してノズル先端側に向けてミキシングチップの筒状部の内径より小さな径まで径が大きくなった後にミキシングチップの突条部の内径以上の径まで外径が減少する段差部が設けられたテーパー部と、このテーパー部の段差部に連続して同一径で且つ長さがミキシングチップの突条部の長さより長い嵌合用円筒部とから構成されていることを特徴とするノズルチップである。
【００１２】
またテーパー部の少なくとも嵌合用円筒部側の外周に、テーパー部の軸方向に向けて等間隔に切り欠かれた切欠部を形成すれば、ノズルチップをミキシングチップの吐出口へ挿入する際に、ノズルチップのテーパー部とミキシングチップの突条部との間で生じる挿入負荷を更に低減することで容易に挿入することができて好ましいのである。
【発明の効果】
【００１３】
本発明に係るノズルチップは、ペースト状の歯科用材料を混練して吐出させるためのミキシングチップの先端側の同一内径を有する筒状部の先端に内径が同一の突条部が設けられている吐出口に挿入されて係止せしめられるノズルチップであって、ノズルチップのミキシングチップの吐出口への挿入部が、ミキシングチップの突条部の内径と同一の外径を有する仮止め用円筒部と、この仮止め用円筒部に連続してノズル先端側に向けてミキシングチップの筒状部の内径より小さな径まで径が大きくなった後にミキシングチップの突条部の内径以上の径まで外径が減少する段差部が設けられたテーパー部と、このテーパー部の段差部に連続して同一径で且つ長さがミキシングチップの突条部の長さより長い嵌合用円筒部とから構成されているから、ノズルチップをミキシングチップの吐出口へ挿入する際に、先ずノズルチップの仮止め用円筒部がミキシングチップの突条部内に挿入されて仮止めされた状態となり、手を離してつかみ直すなどの動作が容易にでき、更にノズルチップを深く挿入するとノズルチップのテーパー部がミキシングチップの突条部内に挿入されるが、ノズルチップのテーパー部とミキシングチップの突条部とは接触部分が少なく挿入負荷が少ないため、容易に挿入することができ、またその際に手が滑ってもテーパー部だけが突条部から押し戻され、ミキシングチップの突条部内にノズルチップの仮止め用円筒部が留まることによってノズルチップの脱落を起こり難くすることができ、更にテーパー部に続いて嵌合用円筒部をミキシングチップの突条部内に挿入すれば、最終的にノズルチップのテーパー部の段差部がミキシングチップの突条部の奥側の端部と係止され、ノズルチップがミキシングチップの吐出口にしっかりと取り外し不能に係止されるのである。
【００１４】
またテーパー部の少なくとも嵌合用円筒部側の外周に、テーパー部の軸方向に向けて等間隔に切り欠かれた切欠部が形成されている態様では、ノズルチップをミキシングチップの吐出口へ挿入する際に、ノズルチップのテーパー部とミキシングチップの突条部との間で生じる挿入負荷を更に低減することで容易に挿入することができて好ましいのである。
【図面の簡単な説明】
【００１５】
【図１】ミキシングチップと本発明に係るノズルチップの一実施例とを示す正面図である。
【図２】図１に係るノズルチップをミキシングチップに挿入する様子を示す断面説明図である。
【図３】本発明に係るノズルチップの他の実施例を示す正面図である。
【図４】図３のＡ部拡大左側面図である。
【図５】従来からあるノズルチップをミキシングチップに挿入する様子を示す断面説明図である。
【発明を実施するための形態】
【００１６】
以下、図面を用いて本発明に係るノズルチップについて詳細に説明する。
【００１７】
Ｍはペースト状の歯科用材料を混練して吐出させるためのミキシングチップであり、このミキシングチップＭには、ミキシングチップＭの先端側の同一内径d１を有する筒状部Maaの先端に内径d２が同一の突条部Mabが設けられている吐出口Maが設けられている。本発明に係るノズルチップはこのようなミキシングチップＭの吐出口Maに挿入されて係止せしめられるノズルチップである。
【００１８】
１はノズルチップのミキシングチップＭの吐出口Maへの挿入部であり、この挿入部１は、後述する仮止め用円筒部２とテーパー部３と嵌合用円筒部４とから構成されている。なお本発明に係るノズルチップはこの挿入部１とノズル部分とから構成されているが、ノズル部分に関しては形状等を含め特に限定されない。
【００１９】
２はミキシングチップＭの突条部Mabの内径d２と同一の外径Ｄ１を有する仮止め用円筒部であり、この仮止め用円筒部２はミキシングチップＭの吐出口Maに挿入されると確実に保持される必要がある。そのため仮止め用円筒部２の外径Ｄ１はミキシングチップＭの突条部Mabの内径d２と同一であることを要する。
【００２０】
３は仮止め用円筒部２に連続してノズル先端側に向けてミキシングチップＭの筒状部Maaの内径d１より小さな最大径Ｄ２まで径が大きくなった後にミキシングチップＭの突条部Mabの内径d２以上の径まで外径Ｄ３が減少する段差部3aが設けられたテーパー部である。４はテーパー部３の段差部3aに連続して同一径Ｄ３で且つ長さがミキシングチップＭの突条部Mabの長さより長い嵌合用円筒部である。
【００２１】
テーパー部３の少なくとも嵌合用円筒部４側の外周3bに、テーパー部３の軸方向に向けて等間隔に切り欠かれた切欠部3cが形成されていれば、ノズルチップをミキシングチップＭの吐出口Maへ挿入する際に、ノズルチップのテーパー部３とミキシングチップの突条部Mabとの間で生じる挿入負荷を更に低減することで容易に挿入することができて好ましい。なお、図３及び図４に示した態様では、テーパー部３の嵌合用円筒部４側の外周3bだけでなく、テーパー部３の軸方向全体に亘って等間隔に切り欠かれた切欠部3cが形成されている。
【００２２】
このような本発明に係るノズルチップを実際に使用するには、先ずミキシングチップＭの吐出口Maに本発明に係るノズルチップを装着する。その際に予め歯科用材料が充てんされた容器に取り付けられたミキシングチップＭに装着しても、ミキシングチップＭ単体に直接装着してもよい。
【００２３】
また小さなミキシングチップＭの吐出口Maにノズルチップの挿入部１を挿入した後に、強い力で押し込む必要があり、挿入部１を挿入した後に握り直して押し込んだり、ノズルチップを硬いものに押し当てたり、硬いもので打ちつけたりすることで、ノズルチップをミキシングチップＭに取り外し不能に係止させるのである。
【００２４】
その際に、従来のノズルチップでは、ミキシングチップＭの吐出口Maにノズルチップを少し挿入しておいても、握り直したり硬いものに押し当て等するために手を離すと、ミキシングチップＭの突条部Mabと接触しているノズルチップのテーパー部に力がかかり、ノズルチップはキシングチップＭから外れるまで押し戻されるが、本発明に係るノズルチップでは、その先端にあるミキシングチップＭの突条部Mabの内径d２と同一の外径Ｄ１を有する仮止め用円筒部２によってミキシングチップＭの突条部Mabに仮止めできるので、ノズルチップを少しミキシングチップＭの吐出口Maに挿入した状態で手を離し、握り直したり、硬いものに押し当てたり等することで、簡単にノズルチップをミキシングチップＭに取り付けることができるのである。
【００２５】
またノズルチップの挿入部１をミキシングチップＭの吐出口Maに挿入する際に手を滑らせて失敗しても、ノズルチップはテーパー部３に力がかかり押し戻されるが、ミキシングチップＭの突条部Mab内が仮止め用円筒部２のみとなると力がかからなくなるため、最後まで押し戻されないので、本発明に係るノズルチップはミキシングチップＭから外れ落ち難いのである。
【００２６】
またこのテーパー部３の少なくとも嵌合用円筒部４側の外周3bに、テーパー部３の軸方向に向けて等間隔に切り欠かれた切欠部3cを形成させれば、挿入負荷が低減できると共に、ノズルチップから手を離したり、手を滑らしたりしても、テーパー部３を押し戻そうとする力が弱くなるためノズルチップがミキシングチップＭの吐出口Maから外れ難くなって好ましいのである。
【００２７】
このようにして、ノズルチップを装着したミキシングチップＭによって、歯科用材料を混合練和して吐出させて使用した後は、本発明に係るノズルチップはミキシングチップＭに取り外し不能に係止されているので、ミキシングチップごと、又は歯科用材料が充てんされていた容器ごと廃棄すればよく、使用後の取り扱いも非常に簡便にできるのである。
【符号の説明】
【００２８】
１  挿入部
２  仮止め用円筒部
３  テーパー部
3a  段差部
3b  外周
3c  切欠部
４  嵌合用円筒部
Ｄ１  仮止め用円筒部の外径
Ｄ２  テーパー部の最大外径
Ｄ３  嵌合用円筒部の外径
Ｍ  ミキシングチップ
Ma  吐出口
Maa  筒状部
Mab  突条部
d１  筒状部の内径
d２  突条部の内径
【図１】
2015033519.tif 000003
【図２】
2015033519.tif 000004
【図３】
2015033519.tif 000005
【図４】
2015033519.tif 000006
【図５】
2015033519.tif 000007